(57)【要約】【課題】ブローバックモデルガンの取り扱い時における火薬の暴発と不発を飛躍的に減少させるデトネータの提供を目的とする。【解決手段】デトネータ１８の突起部３５と保持部材３６の接合部３９に設置されたカートリッジコントロールスプリング２９が、ブローバックモデルガンの給弾時において薬莢３１の頭部に当接し、その勢いを緩衝させるため、火薬の暴発を抑制できる。また、薬莢３１がチャンバ４４内に給弾されると、カートリッジコントロールスプリング２９の弾性力によって、薬莢３１の底部と砲底面が密着した状態となるため、火薬の不発を回避できる。【選択図】図７
0003168445.tif 000002
【実用新案登録請求の範囲】
【請求項１】
薬莢内の撃針部に当接させるための突起部と、
前記突起部をバレル内のインサートに固定させるための保持部材と、を有するブローバックモデルガン用のデトネータであって、
前記突起部と前記保持部材の接合部に弾性体を備えることを特徴とするデトネータ。
【請求項２】
前記弾性体は、スプリングであることを特徴とする請求項１に記載のデトネータ。
【請求項３】
前記弾性体は、前記接合部から前記突起部の突先へ向かうにつれてその螺旋形状の同軸半径が拡散することを特徴とする請求項１または２に記載のデトネータ。
【請求項４】
前記突起部は、前記接合部における断面と突先が共に真円であり同軸であることを特徴とする請求項１から３の何れか１項に記載のデトネータ。
【請求項５】
前記突起部は、前記接合部から先端に行くほど縮径していることを特徴とする請求項４に記載のデトネータ。
【請求項６】
請求項１から５のいずれか１項に記載のデトネータを備えることを特徴とするブローバックモデルガン。
【請求項７】
着脱するマガジンと、
前記マガジンに装填する薬莢と、を備えるブローバックモデルガンであって、
前記薬莢は、重金属で成形された弾頭と、
軽金属で成形されたケースと、を備えること特徴とする請求項６に記載のブローバックモデルガン。
【請求項８】
前記重金属は真鍮であり、
前記軽金属はアルミニウムであることを特徴とする請求項７に記載のブローバックモデルガン。
【考案の詳細な説明】
【技術分野】
【０００１】
本考案は、ブローバックモデルガンのチャンバ内に設置されたデトネータ、ブローバックモデルガンに関する。
【背景技術】
【０００２】
従来から、マガジン内に装填された薬莢を、火薬の爆発力により順次自動的に銃身内へと給弾させることで連発を可能とするブローバック作動方式のモデルガンが知られている。
【０００３】
ブローバック作動方式の第一の方式であるデトネータ方式は、その要部が、チャンバ内に設けた細長い棒状の前撃針であるデトネータと火薬とを備えた空薬莢型のカートリッジのみで構成されている。デトネータ方式では、火薬の発火ガスの多くがデトネータとカートリッジの間隙から外部へと放出されてしまうため、火薬の起爆圧力のロスが大きく、重いスライドを動かせないという問題があった。また、デトネータとカートリッジの間隙は、火薬の燃焼カスの堆積過多を引き起こし、これに起因した装弾不良が早期に生じていた。かかる問題点の解決を図った例として、特許文献１がある。
【先行技術文献】
【特許文献】
【０００４】
【特許文献１】実用新案登録３１５０７６３号公報
【０００５】
特許文献１に開示されたブローバックモデルガンでは、その銃身内に設置されているデトネータの頭部が火薬の発火圧力を受けたときにのみ拡張する弾性材料で作られている。該弾性素材で作られたデトネータの頭部は、火薬の発火によって拡張し、外接する薬莢内面に密着するため、理論上火薬の発火ガスの外部への放出を減少でき、起爆圧力のロス低減が期待されていた。
【０００６】
ところが、実際には期待通りの効果は見られず、起爆圧力のロス低減はほとんど実現できなかった。また、火薬の燃焼カスの堆積過多も同様に起こり、装弾不良の早期惹起の問題もほとんど解決できなかった。
【０００７】
ブローバック作動方式の第二の方式であるプラグファイヤー方式は、デトネータ方式と同様にデトネータとカートリッジを備えるが、カートリッジ内部にブローバック作動の原動力となる撃針部を持つという点で相違する。プラグファイヤー方式によれば、デトネータの頭部を弾性素材で作らずとも、より確実に上記問題点の解決を図ることができる。さらに、カートリッジの成型には、デトネータ方式ほどの高度な加工精度を要求されないというメリットもある。
【考案の概要】
【考案が解決しようとする課題】
【０００８】
しかしながら、いずれの方式によっても、連発時やユーザによる操作時に起こる火薬の暴発の問題は解決できていなかった。また、薬莢室内で生じる薬莢の摺動に起因する火薬の不発といった問題も同時に発生していた。
【０００９】
本考案は、上記課題に鑑みてなされたもので、ブローバックモデルガンの取り扱い時における火薬の暴発と不発を飛躍的に減少させるデトネータの提供を目的とする。
【課題を解決するための手段】
【００１０】
かかる目的を達成するために、本考案にかかるデトネータは、薬莢内の撃針部に当接させるための突起部と、突起部をバレル内のインサートに固定させるための保持部材と、を有するブローバックモデルガン用のデトネータであって、突起部と保持部材の接合部に弾性体を備えることを特徴とする。
【考案の効果】
【００１１】
本考案によれば、ブローバックモデルガンの取り扱い時における火薬の暴発と不発を飛躍的に減少させるデトネータの提供が可能となる。
【図面の簡単な説明】
【００１２】
【図１】本考案の実施形態に係るカートリッジの概略図である。
【図２】本考案の実施形態に係るローダと薬莢の概略図である。
【図３】本考案の実施形態に係るブローバックモデルガンの通常時の概略図である。
【図４】本考案の実施形態に係るブローバックモデルガンのスライドが後方に摺動した状態の概略図である。
【図５】本考案の実施形態に係るブローバックモデルガンのデトネータの突起部突先が薬莢の弾頭口に挿入される瞬間の概略図である。
【図６】本考案の実施形態に係るブローバックモデルガンの薬莢給弾後の概略図である。
【図７】本考案の実施形態に係るデトネータと薬莢周辺の概略図である。
【図８】本考案の実施形態に係るブローバックモデルガンのユーザによるトリガ操作直後の概略図である。
【図９】本考案の実施形態に係るブローバックモデルガンにおける排莢時の概略図である。
【図１０】従来のブローバックモデルガンにおいて薬莢周辺に生じる間隙を示した図である。
【考案を実施するための形態】
【００１３】
図１（ａ）は本実施形態に係るカートリッジの斜視図であり、図１（ｂ）はカートリッジの断面図である。
【００１４】
弾頭１とケース２は、螺合部４で螺合されている。本実施形態では、弾頭１の素材は真鍮であり、ケース２の素材はアルミニウムであるため、同種の金属等で成形されている場合に比べ、締結力が強く、螺合部４は緩みにくくなっている。
【００１５】
また、双方共に真鍮で成形されている場合に比べ、薬莢の重心位置が弾頭側にずれるため、排莢時において薬莢はより大きく回転し、実弾に近い飛翔経路をたどる。カートリッジ３の重量がエンプティケースとほぼ同じ重さであることもかかる飛翔経路の一因となっている。
【００１６】
図２（ａ）は、専用品のローダ７により、カートリッジ内部に撃針部（インナ）８を押し込む様子を示したものである。
【００１７】
ユーザは、予めケース２の内部にプライマ１０を挿入し、ケース底口６に嵌合させ、その上方に火薬１１のつまった火薬キャップ１０を定置する。さらに、撃針部８をケース２の内部に挿入する。
【００１８】
撃針部８は、カートリッジ３の内側面に密着するＯリング９を備えるため、挿入時にはある程度の押圧力を要し、ローダ７なしでは火薬１１の上方に定置することは困難である。ローダ７は、撃針部８が火薬に触れて発火するおそれを回避するためのセフティチューブ１４を取り付けて使用する。なお、本実施形態ではＯリング９はゴム製である。
【００１９】
撃針部８の背面をローダ７によりケース２の内部に押し込み定置させた後、ケース２に弾頭１を螺合させた状態が図２（ｂ）である。以下、この状態を薬莢とする。
【００２０】
カートリッジ３の内側面に対するＯリング９の密着性によりスペース１５は密閉されるため、火薬の発火ガスの外部への放出は抑制される。また、Ｏリング９には、撃針部８等のカートリッジ３内部での摺動を抑制する効果がある。
【００２１】
図３は、マガジン２２に複数の薬莢を装填し、該マガジン２２をフレーム２６に設置した様子を示したものである。
【００２２】
マガジン２２の内部はマガジンスプリング２３で支持されたマガジンフォロア２４が弾性的に上方へ付勢された構成となっている。マガジンスプリング２３上方のマガジンフォロア２４には一定の傾斜が設けられているが、この傾斜はユーザによるスライド１６の摺動後やブローバック後のスライド１６復元時に、薬莢の薬莢口をデトネータ１８の突起部にすっぽり被せるためのものである。
【００２３】
カートリッジコントロールスプリング２９を有するデトネータ１８は、バレル（銃身）１７後部のチャンバ４４内に備わっている。スライド１６後部の砲底面２７後方には、ハンマ２０の衝撃力を受けて前方へ摺動する下ピン１９が備わっている。
【００２４】
図４は、ユーザがブローバックモデルガンのスライド１６を後方へ摺動させた時の様子である。ハンマ２０は、スライド１６の後部に押圧され、軸２８を中心に後方へと回動し、スライド１６の摺動の妨げとならない位置に固定される。
【００２５】
ユーザがスライド１６から手を放すか、あるいは力を緩めることで、スライド１６はレコイルスプリング２５の弾性力により前方へと押し戻される。その過程において、砲底面２７の砲底面下端部３３は、薬莢３１の薬莢底上部３２に当接し押圧するため、薬莢３１はそのまま上方斜め前方へと押し出される。
【００２６】
図５は、レコイルスプリング２５の弾性力によりスライド１６が前方へ押し戻される過程において、薬莢３１の薬莢口がデトネータ１８の突起部突先に被さる瞬間を示したものである。
【００２７】
本実施形態では、デトネータ１８の突起部は断面が略真円であり、先端に行くほど縮径している。デトネータ１８の突起部先端は、円滑な給弾を実現するために細く加工されている。デトネータ１８の突起部の側面には、薬莢３１のスムーズな給弾のために滑らかな加工が施されている。
【００２８】
図６は、デトネータ１８に薬莢３１が給弾された状態を示したものである。
【００２９】
薬莢３１は、図３〜６に示した一連の流れによりチャンバ４４に勢いよく給弾される。従来は、かかる給弾の際に暴発が多発していたが、本実施形態にかかるデトネータ１８は、カートリッジコントロールスプリング２９を備えたことにより薬莢３１の付勢が緩衝されるため、火薬の暴発を飛躍的に減少させることができる。
【００３０】
ここで、従来のブローバックモデルガンにおける問題点について図１０を用いて説明する。
【００３１】
図１０は、図３〜６と同様の流れにより、チャンバ５６内に薬莢５５が設置された状態を示したものである。間隙５１、５２は、各パーツの成形時のクリアランス（塑性加工における金型に用いられる工具間の隙間）による加工上の誤差によって生じる。この間隙５１、５２は、従来から火薬の暴発や不発の要因として問題視されてきた。
【００３２】
第一の問題点としては、火薬の連発時やユーザによる操作時に起こる火薬の暴発が挙げられる。
【００３３】
後方へのスライド摺動後にユーザが手を放した場合は、レコイルスプリングの弾性力により、薬莢５５はマガジンの上部からチャンバ５６までを加速されながら移動する。そのため、従来の構成ではほとんどの場合、デトネータ５７の突起部突先に薬莢５５内の撃針部５８が衝突し、偶発的な火薬の暴発を引き起こしていた。
【００３４】
もっとも、ユーザはスライドの後方への摺動後にスライドをゆっくりと前方に復元させることも可能であるが、これでは操作が煩雑になるばかりか、臨場感も望めない。
【００３５】
また、後述するブローバック後においては、火薬の発火ガスを動力とするため、レコイルスプリングの弾性力によるスライドの復元速度はより速くなり、デトネータ５７の突起部突先に薬莢５５内の撃針部５８が衝突する際の衝撃力はより大きくなるため、火薬暴発の誘発性は初弾の給弾時よりも高いと言える。
【００３６】
さらに、チャンバ５６は薬莢のスムーズな給弾のため、その内径は薬莢の外径よりもやや広く、その側面はある程度滑らかに成形されている。すなわち、薬莢はチャンバ５６内での摺動について何ら拘束されていないため、デトネータ５７の突起部突先と撃針部５８背面の間に間隙５１が生じた図１０（ａ）の状態と薬莢底部と砲底面５９の間に間隙５３が生じた図１０（ｂ）の状態を自由に摺動できる。
【００３７】
かかる状況下において、ブローバックモデルガンの銃口を水平以上に向けた状態（図１０（ａ）の状態）から下方に向けると、薬莢５５はチャンバ５６内を前方に摺動し、撃針部５８の背面がデトネータ５７の突起部突先に衝突する（図１０（ｂ）の状態）。
【００３８】
玩具用の火薬は、些細なショックで発火するおそれがあるため、従来においては、銃口を下方に向けたときにも、撃針部の先端部分が与える刺激により火薬の暴発が起こっていた。
【００３９】
第二の問題点としては、チャンバ内で生じる薬莢の摺動に起因する火薬の不発が挙げられる。そこで、ブローバックモデルガンにおける火薬の発火のメカニズムを説明する。
【００４０】
ユーザがトリガを引くと、ハンマが勢いよく回動し、下ピンの後端部を打突する。そのため、下ピンは前方に摺動し、下ピン６２の先端部はプライマ６０に衝撃力を加える。
【００４１】
ここで、火薬キャップ６３に埋入された火薬６１は、プライマ６０と撃針部５８によって挟持されているため、下ピンの先端部がプライマ６０に与えた衝撃力は火薬キャップ６３に伝達され、火薬６１は撃針部５８先端部に触発されることで発火する。
【００４２】
したがって、確実に火薬を発火させるためには、図１０（ａ）の状態のように薬莢５５の底部と砲底面５９が当接している状態でユーザがトリガを引くことが好ましい。
【００４３】
しかしながら、上述したように、薬莢はチャンバ内において摺動自在であるため、ユーザがトリガを引くときに図１０（ｂ）のように間隙５２が生じていることも想定される。かかる状態では、ハンマの打突による下ピン６２の衝撃力は、プライマ６０には充分に伝わらないため、火薬の不発が起こってしまう。
【００４４】
このように、従来から火薬の不発は、薬莢底部と砲底面の間に生じた間隙に起因することが多かった。
【００４５】
本実施形態では、従来からユーザや開発業者を悩ましてきた上記２つの問題点を、デトネータ１８にカートリッジコントロールスプリング２９を設置することで解決した。図７は、本実施形態に係るデトネータとその周辺部分を示したものである。
【００４６】
カートリッジコントロールスプリング２９は、図７（ａ）に示すように、デトネータ１８の突起部３５と保持部材３６の接合部３９に設置され、接合部３９から突起部３５の先端に向かうにつれてその螺旋形状の同軸半径が拡散する構成となっている。保持部材３６は、図７（ｂ）に示すようにインサート３７に埋設されている。
【００４７】
本実施形態にかかるデトネータ１８によれば、ユーザによるスライド１６の摺動後やブローバック後に付勢された薬莢３１が、チャンバ４４に勢いよく給弾される際、デトネータ１８の突起部突先が撃針部８に衝突する前に、薬莢３１の頭部がカートリッジコントロールスプリング２９に当接する。そのため、カートリッジコントロールスプリング２９の反発力により薬莢３１の付勢が緩衝され、火薬の暴発を飛躍的に減少させることができる（第一の問題点の解消）。
【００４８】
また、図７（ｂ）に示すように、カートリッジコントロールスプリング２９は、砲底面２７と薬莢３１の底部を弾性力により密着させるため、第二の問題点であった火薬の不発も未然に防止することができる。
【００４９】
ここで、本実施形態に係るブローバックモデルガンのブローバック作動方式について説明する。
【００５０】
ブローバックモデルガンでは、薬莢内の火薬の発火ガスを動力としてスライドを後方に摺動させ、薬莢を排莢口から排莢し、その後レコイルスプリングの弾性力によりスライドが前方へと摺動される。その際にマガジン内の次の薬莢をバレル内に自動給弾させるため連発が可能となっている。
【００５１】
図６は上述した通り、ユーザによるスライド１６の後方への摺動により、チャンバ４４内に薬莢３１が給弾された状態である。かかる給弾時において、薬莢３１の付勢がカートリッジコントロールスプリング２９の反発力により緩衝されるため、火薬の暴発が低減されることは上述した通りである。
【００５２】
図６の状態において、ユーザがトリガ２１を引くと、軸２８を中心にハンマ２０が勢いよく回動し、図８に示すように下ピン１９の下端部を打突する。かかる打突の衝撃力は、下ピン１９の前方への摺動によりプライマ１２に伝達される。
【００５３】
本実施形態では、カートリッジコントロールスプリング２９の弾性力により、薬莢３１の底部は砲底面２７に密着しているため、ハンマ２０の打突による衝撃力はダイレクトにプライマ１２へと伝達される。そのため、火薬キャップ１０内の火薬１１は撃針部８により確実に刺激され発火する。
【００５４】
スペース１５はＯリング９により気密室となっているため、火薬１１の発火により生じる発火ガスは外部へと放出されることなく起爆圧力となって、スライド１６を後方に摺動させる。
【００５５】
図９は、火薬の起爆圧力によりスライドが後方に摺動された状態を示したものである。
【００５６】
火薬の発火ガスによる起爆圧力は、スライド１６を後方に摺動させた後、排莢口５０から薬莢３１を排莢させる。
【００５７】
本実施形態に係る薬莢３１は、真鍮製の弾頭とアルミ製のケースで構成されているため、重心のずれによりトルクが大きくなり、薬莢３１は大きく回転しながら排莢される。これにより、視覚的にも実弾に近い使用感を味わうことができる。
【００５８】
薬莢３１の排莢後、スライド１６がレコイルスプリング２５の弾性力により前方へと押し戻される際、砲底面下端部３３は、次弾である薬莢４１の薬莢底上部４２を押圧し、薬莢４１はそのまま上方斜め前方へと押し出され、チャンバ４４内に給弾される。
【００５９】
スライド１６の後方への摺動速度は、ユーザによる操作の場合（初弾給弾時）に比べ、火薬の発火ガスによる場合（次弾以降の給弾時）の方が速いため、レコイルスプリング２５の弾性力によるスライド１６の復元速度も高速になる。したがって、薬莢４１がチャンバ４４内に給弾される際の付勢も大きくなるため、従来においては、次弾以降の給弾時にデトネータ突起部突先が撃針部の背面に衝突する可能性が高く、さらに衝突の際の衝撃力も大きくなることより、初弾給弾時に比べ暴発の可能性が高かった。
【００６０】
この点において、本実施形態に係るデトネータ８は、カートリッジコントロールスプリング２９が薬莢４１の付勢を緩衝するため、ブローバック後においても暴発を飛躍的に低減することができる。
【００６１】
以上より、本実施形態に係るカートリッジコントロールスプリング２９を備えるデトネータ８によれば、火薬の暴発による危険性からユーザを保護し、火薬の不発によるユーザの苛立ちを限りなく減少させることができる。
【００６２】
本考案の他の実施形態では、弾性体は、スプリングであることを特徴とする。
【００６３】
本考案の他の実施形態では、弾性体は、接合部から突起部の突先へ向かうにつれてその螺旋形状の同軸半径が拡散することを特徴とする。
【００６４】
本考案の他の実施形態では、突起部は、接合部における断面と突先が共に真円であり同軸であることを特徴とする。
【００６５】
本考案の他の実施形態では、突起部は、先端に行くほど縮径していることを特徴とする。
【００６６】
本考案の他の実施形態に係るブローバックモデルガンでは、請求項１から５のいずれか１項に記載のデトネータを用いたことを特徴とする。
【００６７】
本考案の他の実施形態では、突起部は、接合部から先端に行くほど縮径していることを特徴とする。
【００６８】
本考案の他の実施形態に係るブローバックモデルガンでは、請求項１から５のいずれか１項に記載のデトネータを備えることを特徴とする。
【００６９】
本考案の他の実施形態に係るブローバックモデルガンでは、請求項１から５のいずれか１項に記載のデトネータと、着脱するマガジンと、マガジンに装填する薬莢と、を備え、薬莢は、重金属で成形された弾頭と、軽金属で成形されたケースと、を備えることを特徴とする。
【００７０】
本考案の他の実施形態に係るブローバックモデルガンでは、請求項１から５のいずれか１項に記載のデトネータと、着脱するマガジンと、マガジンに装填する薬莢と、を備え、薬莢は、真鍮で成形された弾頭と、アルミニウムで成形されたケースと、を備えることを特徴とする。
【００７１】
なお、上記実施形態は、本考案のペットボトル圧縮気における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、特許請求の範囲に記載された考案の内容を限定するものではない。
【符号の説明】
【００７２】
１    弾頭
２    ケース
３    カートリッジ
４    螺合部
７    ローダ
８    撃針部
１０    火薬キャップ
１１    火薬
１２    プライマ
１４    セフティチューブ
１６    スライド
１７    バレル
１８    デトネータ
１９    下ピン
２０    ハンマ
２１    トリガ
２２    マガジン
２３    マガジンスプリング
２４    マガジンフォロア
２５    レコイルスプリング
２６    フレーム
２７    砲底面
２９    カートリッジコントロールスプリング
３１    薬莢
３５    突起部
３６    保持部材
３７    インサート
３８    間隙
３９    接合部
５０    排莢口
５４    カートリッジ
５５    薬莢
５６    チャンバ
５７    デトネータ
５８    撃針部
５９    砲底面
６０    プライマ
６１    火薬
６２    下ピン
【図１】
0003168445.tif 000003
【図２】
0003168445.tif 000004
【図３】
0003168445.tif 000005
【図４】
0003168445.tif 000006
【図５】
0003168445.tif 000007
【図６】
0003168445.tif 000008
【図７】
0003168445.tif 000009
【図８】
0003168445.tif 000010
【図９】
0003168445.tif 000011
【図１０】
0003168445.tif 000012